(57)【要約】【課題】生体データの信頼性を評価する技術を提供する。【解決手段】生体データ測定装置は、第１の生体データを取得する第１の取得部と、前記第１の生体データの測定日時を含む所定期間内に測定された第２の生体データを取得する第２の取得部と、前記第１の生体データの信頼性が高いか低いかを判断する第１の判断部と、前記第１の生体データの信頼性が高いまたは低いの何れかに応じて、前記第２の生体データの信頼性が高いか低いかを判断する第２の判断部と、前記第２の生体データの信頼性が高いまたは低いの何れかに応じて、前記第２の生体データの信頼性が高いまたは低いの何れかを前記第２の生体データに関連付けるデータ処理部とを備える。【選択図】図１
2020010755.tif 000002
【特許請求の範囲】
【請求項１】
対象者の第１の生体データを取得する第１の取得部と、
前記第１の生体データの測定日時を含む所定期間内に測定された前記対象者の第２の生体データを取得する第２の取得部と、
前記第１の生体データの信頼性が高いか低いかを判断する第１の判断部と、
前記第１の生体データの信頼性が高いまたは低いの何れかを示す第１の判断結果に応じて、前記第２の生体データの信頼性が高いか低いかを判断する第２の判断部と、
前記第２の生体データの信頼性が高いまたは低いの何れかを示す第２の判断結果に応じて、前記第２の生体データの信頼性が高いまたは低いの何れかを示すデータを前記第２の生体データに関連付けるデータ処理部と、
を備える生体データ測定装置。
【請求項２】
前記第１の生体データと前記第２の生体データは異なる種類の生体データである、請求項１に記載の生体データ測定装置。
【請求項３】
前記第１の取得部は、前記第１の生体データとして前記対象者の心電に関するデータを取得し、
前記第２の取得部は、前記第２の生体データとして前記対象者の血圧に関するデータを取得する、
請求項１に記載の生体データ測定装置。
【請求項４】
前記第２の生体データの信頼性が高いまたは低いの何れかを示すデータと関連付けられた前記第２の生体データを出力するデータ出力部をさらに備える、請求項１に記載の生体データ測定装置。
【請求項５】
前記第２の生体データの信頼性が低いことを示す前記第２の判断結果に応じて、前記対象者の状態を改善させる支援の実行を指示する信号を出力する信号出力部をさらに備える、請求項１に記載の生体データ測定装置。
【請求項６】
前記データ処理部は、前記第２の生体データの信頼性が高いことを示すデータと関連付けられた前記第２の生体データを出力対象に分類し、前記第２の生体データの信頼性が低いことを示すデータと関連付けられた前記第２の生体データを非出力対象に分類する、請求項１に記載の生体データ測定装置。
【請求項７】
前記データ処理部は、前記第２の生体データの信頼性が低いことを示すデータと関連付けられた前記第２の生体データを破棄する、請求項６に記載の生体データ測定装置。
【請求項８】
前記第１の生体データと比較する予め定められた参照データを取得する第３の取得部をさらに備え、
前記第１の判断部は、前記第１の生体データを前記参照データと比較し、前記第１の生体データと前記参照データとの比較結果に基づいて、前記第１の生体データの信頼性が高いか低いかを判断する、
請求項１に記載の生体データ測定装置。
【請求項９】
対象者の第１の生体データを取得する第１の取得過程と、
前記第１の生体データの測定日時を含む所定期間内に測定された前記対象者の第２の生体データを取得する第２の取得過程と、
前記第１の生体データの信頼性が高いか低いかを判断する第１の判断過程と、
前記第１の生体データの信頼性が高いまたは低いの何れかを示す第１の判断結果に応じて、前記第２の生体データの信頼性が高いか低いかを判断する第２の判断過程と、
前記第２の生体データの信頼性が高いまたは低いの何れかを示す第２の判断結果に応じて、前記第２の生体データの信頼性が高いまたは低いの何れかを示すデータを前記第２の生体データに関連付けるデータ処理過程と、
を備える生体データ処理方法。
【請求項１０】
請求項１から８のうちの何れか１項に記載の生体データ測定装置が備える各部の処理をコンピュータに実行させる生体データ処理のためのプログラム。
【発明の詳細な説明】
【技術分野】
【０００１】
この発明は、生体データ測定装置、生体データ処理方法及び生体データ処理のためのプログラムに関する。
【背景技術】
【０００２】
心電及び血圧などの人間の生体から取得される生体データの活用が期待されている。特許文献１は、心電波形に基づいて人間の緊張状態を推定する技術を開示している。
【０００３】
緊張状態に測定された心電波形は、身体に異変が発生しているか否かに関わらず特徴的な波形となるので、身体の異変の診断に有益とはいえない。そのため、緊張状態に測定された心電波形は、身体の異変の診断という観点では、信頼性の低いデータである。他方、安静状態に測定された心電波形は、身体に重大な異変が発生していれば特徴的な波形となるので、身体の異変の診断に有益といえる。そのため、安静状態に測定された心電波形は、身体の異変の診断という観点では、信頼性の高いデータである。
【先行技術文献】
【特許文献】
【０００４】
【特許文献１】特開２０１７−１６９８８５号公報
【発明の概要】
【発明が解決しようとする課題】
【０００５】
しかしながら、生体データによっては、対象者の状態が安静状態か緊張状態かに応じて変動するだけでなく、安静状態であっても身体の異変に敏感に反応するものもある。そのため、安静状態に測定された生体データであっても、緊張状態に測定されたものとして誤って評価される可能性がある。このような生体データの信頼性を適切に評価することは、生体データに基づいて人間の緊張状態を推定するだけでは難しい。
【０００６】
本発明の目的は、上記事情に着目してなされたもので、生体データの信頼性を評価する技術を提供することである。
【課題を解決するための手段】
【０００７】
本開示の第１の態様は、対象者の第１の生体データを取得する第１の取得部と、前記第１の生体データの測定日時を含む所定期間内に測定された前記対象者の第２の生体データを取得する第２の取得部と、前記第１の生体データの信頼性が高いか低いかを判断する第１の判断部と、前記第１の生体データの信頼性が高いまたは低いの何れかを示す第１の判断結果に応じて、前記第２の生体データの信頼性が高いか低いかを判断する第２の判断部と、前記第２の生体データの信頼性が高いまたは低いの何れかを示す第２の判断結果に応じて、前記第２の生体データの信頼性が高いまたは低いの何れかを示すデータを前記第２の生体データに関連付けるデータ処理部とを備える生体データ測定装置である。
例えば、対象者の状態が安静状態か緊張状態かに応じて変動するだけでなく、安静状態であっても身体の異変に敏感に反応する生体データがある。他方、対象者の状態が安静状態か緊張状態かに応じて変動するが、身体に発生した異変が軽度であれば安静状態ではそれほど反応しない生体データがある。前者の生体データは、対象者の身体の異変に影響されやすいので、対象者の状態の評価に適していない。そのため、前者の生体データは、対象者の状態に応じた信頼性の評価に適していない。後者の生体データは、対象者の身体の異変に頻繁には影響を受けないので、対象者の状態の評価に適している。そのため、後者の生体データは、対象者の状態に応じた信頼性の評価に適している。生体データ測定装置は、後者の生体データを第１の生体データ、前者の生体データを第２の生体データとして用いることで、第２の生体データの信頼性を直接的に評価することが難しくても、間接的に第２の生体データの信頼性を評価することができる。
【０００８】
本開示の第２の態様は、上記第１の態様において、前記第１の生体データと前記第２の生体データが異なる種類の生体データであるようにしたものである。
異なる種類の生体データは、対象者の状態によっては、異なる変動特性を示す。生体データ測定装置は、信頼性の評価に適している生体データを第１の生体データとして用いることで、第２の生体データの間接的な信頼性の評価精度を向上させることができる。
【０００９】
本開示の第３の態様は、上記第１の態様において、前記第１の取得部が、前記第１の生体データとして前記対象者の心電に関するデータを取得し、前記第２の取得部が、前記第２の生体データとして前記対象者の血圧に関するデータを取得するようにしたものである。
心電データは、対象者の身体の異変に頻繁には影響を受けないので、対象者の状態の評価に適している。そのため、心電データは、対象者の状態に応じた信頼性の評価に適している。血圧データは、対象者の身体の異変に影響されやすいので、対象者の状態の評価に適していない。そのため、血圧データは、対象者の状態に応じた信頼性の評価に適していない。生体データ測定装置は、血圧データの信頼性を直接的に評価することが難しくても、心電データを用いて、間接的に血圧データの信頼性を評価することができる。
【００１０】
本開示の第４の態様は、上記第１の態様において、前記第２の生体データの信頼性が高いまたは低いの何れかを示すデータと関連付けられた前記第２の生体データを出力するデータ出力部をさらに備えるようにしたものである。
生体データ測定装置は、信頼性データと関連付けられた第２の生体データを医師に提供することで、医師による診断を支援することができる。医師は、第２の生体データの信頼性を確認することで、第２の生体データを対象者の診察に活用するか否かを容易に判断することができる。
【００１１】
本開示の第５の態様は、上記第１の態様において、前記第２の生体データの信頼性が低いことを示す前記第２の判断結果に応じて、前記対象者の状態を改善させる支援の実行を指示する信号を出力する信号出力部をさらに備えるようにしたものである。
生体データ測定装置は、対象者への緊張状態の緩和を支援することで、信頼性の高い第２の生体データを測定することができる。
【００１２】
本開示の第６の態様は、上記第１の態様において、前記データ処理部が、前記第２の生体データの信頼性が高いことを示すデータと関連付けられた前記第２の生体データを出力対象に分類し、前記第２の生体データの信頼性が低いことを示すデータと関連付けられた前記第２の生体データを非出力対象に分類するようにしたものである。
生体データ測定装置は、全ての第１の生体データを出力する必要がないので、通信に関する負荷を軽減することができる。医師は、信頼性の高い第２の生体データの提供を受けるので、第２の生体データが対象者の診察に有益な信頼性の高いデータか否かの確認作業を省略することができる。
【００１３】
本開示の第７の態様は、上記第６の態様において、前記データ処理部が、前記第２の生体データの信頼性が低いことを示すデータと関連付けられた前記第２の生体データを破棄するようにしたものである。
生体データ測定装置は、信頼性の低い血圧データを破棄することで、メモリ資源を有効に活用することができる。
【００１４】
本開示の第８の態様は、上記第１の態様において、前記第１の生体データと比較する予め定められた参照データを取得する第３の取得部をさらに備え、前記第１の判断部が、前記第１の生体データを前記参照データと比較し、前記第１の生体データと前記参照データとの比較結果に基づいて、前記第１の生体データの信頼性が高いか低いかを判断するようにしたものである。
生体データ測定装置は、参照データを用いることで、第１の生体データの信頼性が高いか低いかを精度良く判断することができる。
【００１５】
本開示の第９の態様は、対象者の第１の生体データを取得する第１の取得過程と、前記第１の生体データの測定日時を含む所定期間内に測定された前記対象者の第２の生体データを取得する第２の取得過程と、前記第１の生体データの信頼性が高いか低いかを判断する第１の判断過程と、前記第１の生体データの信頼性が高いまたは低いの何れかを示す第１の判断結果に応じて、前記第２の生体データの信頼性が高いか低いかを判断する第２の判断過程と、前記第２の生体データの信頼性が高いまたは低いの何れかを示す第２の判断結果に応じて、前記第２の生体データの信頼性が高いまたは低いの何れかを示すデータを前記第２の生体データに関連付けるデータ処理過程とを備える生体データ処理方法である。
第９の態様によれば、生体データ処理方法は、上述の第１の態様と同様の効果を得ることができる。
【００１６】
本開示の第１０の態様は、第１の態様から第８の態様のうちの何れかの生体データ測定装置が備える各部の処理をコンピュータに実行させる生体データ処理のためのプログラムである。
第１０の態様によれば、生体データ処理のためのプログラムは、上述の第１の態様と同様の効果を得ることができる。
【発明の効果】
【００１７】
本発明によれば、生体データの信頼性を評価する技術を提供することができる。
【図面の簡単な説明】
【００１８】
【図１】本実施形態に係る測定装置の適用例を模式的に示す図。
【図２】本実施形態に係る生体データ管理システムの全体構成を例示する図。
【図３】本実施形態に係る測定装置のハードウェア構成を例示するブロック図。
【図４】本実施形態に係る測定装置のソフトウェア構成を例示するブロック図。
【図５】本実施形態に係る測定装置における信頼性判断動作を例示するフローチャート。
【発明を実施するための形態】
【００１９】
以下、本開示に係る実施の形態（以下、「本実施形態」とも表記する）を、図面に基づいて説明する。ただし、以下で説明する本実施形態は、あらゆる点において例示に過ぎない。なお、以降、説明済みの要素と同一または類似の要素には同一または類似の符号を付し、重複する説明については基本的に省略する。
【００２０】
§１  適用例  
本実施形態は、生体データの信頼性を評価し、信頼性に関するデータを生体データに関連付ける技術である。
図１は、測定装置Ａ１の適用例を模式的に示す図である。
測定装置Ａ１は、心電測定部Ａ１１及び血圧測定部Ａ１２を備える。心電測定部Ａ１１は、測定装置Ａ１を装着する対象者の心電を測定する。血圧測定部Ａ１２は、測定装置Ａ１を装着する対象者の血圧を測定する。
【００２１】
測定装置Ａ１は、心電測定部Ａ１１による対象者の心電の測定に基づいて、対象者の心電データを取得する。測定装置Ａ１は、血圧測定部Ａ１２による対象者の血圧の測定に基づいて、心電データの測定日時を含む所定期間内に測定された対象者の血圧データを取得する。測定装置Ａ１は、心電データの信頼性が高いか低いかを判断する。例えば、測定装置Ａ１は、心電データに基づいて対象者の状態を判断し、対象者の状態に応じて、心電データの信頼性が高いか低いかを判断する。測定装置Ａ１は、心電データの信頼性が高いまたは低いの何れかを示す第１の判断結果に応じて、血圧データの信頼性が高いか低いかを判断する。測定装置Ａ１は、血圧データの信頼性が高いまたは低いの何れかを示す第２の判断結果に応じて、信頼性データを血圧データに関連付ける。信頼性データは、血圧データの信頼性が高いまたは低いの何れかを示す。測定装置Ａ１は、携帯端末Ａ２を介して、信頼性データと関連付けられた血圧データをＰＨＲ（Ｐｅｒｓｏｎａｌ  Ｈｅａｌｔｈ  Ｒｅｃｏｒｄｓ）サーバＡ３へ送信する。ＰＨＲサーバＡ３は、測定装置Ａ１で測定された各人の血圧データを信頼性データと関連付けて管理するサーバである。
【００２２】
このように、測定装置Ａ１は、生体データの信頼性を評価することができる。
【００２３】
§２  構成例  
＜生体データ管理システム＞  
図２は、生体データ管理システム１００の全体構成を例示する図である。生体データ管理システム１００は、各人の生体データを管理するためのシステムである。
生体データ管理システム１００は、測定装置１、携帯端末２、ＰＨＲサーバ３及びＥＨＲ（Ｅｌｅｃｔｒｏｎｉｃ  Ｈｅａｌｔｈ  Ｒｅｃｏｒｄｓ）サーバ４を備える。携帯端末２、ＰＨＲサーバ３及びＥＨＲサーバ４は、互いにネットワークを介して通信可能である。例えば、ネットワークは、インターネットである。
【００２４】
測定装置１は、測定装置１を装着する対象者の生体の物理量を測定する装置である。測定装置１は、少なくとも２種類の異なる物理量を測定する。例えば、測定装置１は、心電及び血圧を測定する。測定装置１は、対象者の生体の物理量を示す生体データを測定する。生体データの一例は、心電を示すデータである。心電を示すデータは、心電データともいう。例えば、心電データは、測定期間における心電の変動を示す波形データである。これに代えて、心電データは、測定期間における心電の特徴量を示すデータであってもよい。例えば、特徴量は、ピーク値であるが、これに限定されない。心電は、Ｐ波であっても、Ｒ波であっても、Ｓ波であってもよく、限定されない。生体データの別の例は、血圧を示すデータを含む。血圧を示すデータは、血圧データともいう。例えば、血圧データは、血圧測定時における収縮期血圧ＳＢＰ（Ｓｙｓｔｏｌｉｃ  Ｂｌｏｏｄ  Ｐｒｅｓｓｕｒｅ）の値及び拡張期血圧ＤＢＰ（Ｄｉａｓｔｏｌｉｃ  Ｂｌｏｏｄ  Ｐｒｅｓｓｕｒｅ）の値を示すデータである。これに代えて、血圧データは、測定期間におけるＳＢＰ及びＤＢＰの変動を示す波形データであってもよい。測定装置１は、生体データ測定装置ともいう。
【００２５】
携帯端末２は、測定装置１から心電データ及び血圧データを取得し、心電データ及び血圧データをＰＨＲサーバ３へ提供する装置である。例えば、携帯端末２は、スマートフォンまたはタブレットであるが、これらに限定されない。携帯端末２は、生体データ提供装置の一例である。
【００２６】
ＰＨＲサーバ３は、測定装置１で測定された各人の生体データを管理するサーバである。ＰＨＲサーバ３は、携帯端末２から各人の生体データを収集する。これに代えて、ＰＨＲサーバ３は、測定装置１から直接、各人の生体データを収集してもよい。医師は、ＰＨＲサーバ３で管理されている生体データを各人の診察に活用することができる。
【００２７】
ＥＨＲサーバ４は、医師による各人の診察に関するデータを管理するサーバである。ＥＨＲサーバ４は、医師がＰＣ（Ｐｅｒｓｏｎａｌ  Ｃｏｍｐｕｔｅｒ）を用いて入力する電子カルテと連携して、各人の診察に関するデータを管理する。診察に関するデータは、診察データともいう。
【００２８】
診察データは、各人の生体の物理量を示す参照データを含む。参照データは、後述するように、測定装置１で取得される生体データの信頼性が高いか低いかの判断に用いられるデータである。参照データは、各人の安静状態で測定されたデータである。参照データは、医師に正常と判断されたデータということもできる。診察データは、各人の心電に関する予め定められた第１の参照データを含む。第１の参照データは、後述するように、測定装置１で取得される心電データの信頼性が高いか低いかの判断に用いられる。第１の参照データは、異なる時間帯に測定された複数の参照データを含んでいてもよい。例えば、第１の参照データは、午前の時刻における測定に基づく参照データ及び午後の時刻における測定に基づく参照データを含む。一つの理由は、心電データの傾向が時間帯よって異なるからである。第１の参照データが複数の参照データを含むことで、心電データの信頼性が高いか低いかの判断精度は高まる。同様に、診察データは、各人の血圧に関する予め定められた第２の参照データを含む。第２の参照データは、後述するように、測定装置１で取得される血圧データの信頼性が高いか低いかの判断に用いられる。第２の参照データは、異なる時間帯に測定された複数の参照データを含んでいてもよい。例えば、第２の参照データは、午前の時刻における測定に基づく参照データ及び午後の時刻における測定に基づく参照データを含む。一つの理由は、血圧データの傾向が時間帯よって異なるからである。第２の参照データが複数の参照データを含むことで、血圧データの信頼性が高いか低いかの判断精度は高まる。
【００２９】
＜測定装置＞  
［ハードウェア構成］  
図３は、測定装置１のハードウェア構成を例示するブロック図である。
測定装置１は、プロセッサ１０１、ＲＯＭ（Ｒｅａｄ  Ｏｎｌｙ  Ｍｅｍｏｒｙ）１０２、ＲＡＭ（Ｒａｎｄｏｍ  Ａｃｃｅｓｓ  Ｍｅｍｏｒｙ）１０３、記憶装置１０４、通信インタフェース１０５、入力部１０６、表示部１０７、音声出力部１０８、心電測定部１０９及び血圧測定部１１０を備える。各要素は、互いに電気的に接続されている。なお、図３では、通信インタフェースを、「通信Ｉ／Ｆ」と記載している。
【００３０】
プロセッサ１０１は、測定装置１の各要素を制御する。例えば、プロセッサ１０１は、ＣＰＵ（Ｃｅｎｔｒａｌ  Ｐｒｏｃｅｓｓｉｎｇ  Ｕｎｉｔ）であるが、これに限定されない。プロセッサ１０１は、記憶装置１０４に格納された測定装置１を実行させるためのプログラムをＲＡＭ１０３に展開する。そして、プロセッサ１０１がＲＡＭ１０３に展開されたプログラムを解釈及び実行することで、プロセッサ１０１は、各種動作を実行可能である。
【００３１】
記憶装置１０４は、いわゆる補助記憶装置である。例えば、記憶装置１０４は、内蔵または外付けのフラッシュメモリなどの半導体メモリであるが、これらに限定されない。記憶装置１０４は、プロセッサ１０１で実行されるプログラムを記憶する。なお、プログラムは、予め記憶装置１０４に記憶されていてもよい。プログラムは、ネットワークを介して測定装置１にダウンロードされてもよい。プログラムは、非一時的なコンピュータ可読媒体に記憶され、流通していてもよい。
記憶装置１０４は、後述する心電測定部１０９で測定された測定日時（測定タイミング）の異なる複数の心電データを記憶する。記憶装置１０４は、後述する血圧測定部１１０で測定された測定日時の異なる複数の血圧データを記憶する。
【００３２】
通信インタフェース１０５は、測定装置１を他の装置と通信可能に接続するためのインタフェースである。通信インタフェース１０５は、近距離無線通信方式用のモジュールを含む。近距離無線通信方式は、例えばブルートゥース（登録商標）による通信方式であるが、これに限定されない。通信インタフェース１０５は、近距離無線通信方式を用いて、携帯端末２と直接的に通信する。なお、通信インタフェース１０５は、移動通信（３Ｇ、４Ｇなど）及びＷＬＡＮ（Ｗｉｒｅｌｅｓｓ  Ｌｏｃａｌ  Ａｒｅａ  Ｎｅｔｗｏｒｋ）などのための各種無線通信方式用のモジュールを含んでいてもよい。この場合、通信インタフェース１０５は、携帯端末２を介することなく、ＰＨＲサーバ３及びＥＨＲサーバ４と通信することができる。
【００３３】
入力部１０６は、対象者の入力による指示を受け付ける装置である。例えば、入力部１０６は、タッチパネル及び操作キーを含むが、これらに限定されない。入力部１０６は、対象者の入力による指示に応じた信号をプロセッサ１０１へ出力する。なお、入力部１０６は、対象者の操作に基づく入力による指示を受け付ける装置に限定されるものではなく、対象者の音声に基づく入力による指示を受け付ける装置であってもよい。
【００３４】
表示部１０７は、情報を表示する装置である。例えば、表示部１０７は、液晶ディスプレイであるが、これに限定されない。
【００３５】
音声出力部１０８は、音声を出力する装置である。例えば、音声出力部１０８は、スピーカであるが、これに限定されない。
【００３６】
心電測定部１０９は、測定装置１を装着する対象者の心電を測定する装置である。例えば、心電測定部１０９は、２つの電極を備える。心電測定部１０９は、２つの電極における対象者の接触に応じて、２つの電極間に発生する電位差に基づいて対象者の心電を測定する。例えば、心電測定部１０９は、対象者が２つの電極に接触している期間、対象者の心電を測定する。心電測定部１０９は、心電データを測定する毎に、心電データを記憶装置１０４に保存する。心電データは、心電の測定日時を示すデータを含む。心電の測定日時は、測定装置１に実装される時計機能によって検出される。
【００３７】
血圧測定部１１０は、測定装置１を装着する対象者の血圧を測定する装置である。例えば、血圧測定部１１０は、カフ、ポンプ及び圧力センサを備える。カフは、血圧を測定する対象者の被測定部位に巻き付けて装着可能な帯状で構成されている。カフは、空気袋を備える。ポンプは、空気袋を膨らませるために、空気袋の内部に空気を供給する。圧力センサは、空気袋内の圧力を測定する。血圧測定部１１０は、圧力センサで測定されるデータに基づいて、血圧を測定する。
【００３８】
血圧測定部１１０は、血圧データを測定する毎に、血圧データを記憶装置１０４に保存する。血圧測定部１１０は、血圧測定時におけるＳＢＰの値及びＤＢＰの値を取得する。これに代えて、血圧測定部１１０は、血圧測定指示によらず、対象者の血圧を１拍毎に連続的に測定してもよい。血圧測定部１１０は、血圧測定期間におけるＳＢＰの値及びＤＢＰの値を取得する。
【００３９】
血圧測定部１１０は、血圧データを記憶装置１０４に保存する。血圧データは、血圧の測定日時を示すデータを含む。血圧の測定日時は、測定装置１に実装される時計機能によって検出される。
【００４０】
なお、血圧測定部１１０は、上述の圧力に基づいて血圧を測定する方式以外の方式により、血圧を測定してもよい。例えば、血圧測定部１１０は、光、電波または超音波を対象者の血管に当て、その反射波に基づいて血圧を測定する光学方式、電波方式または超音波方式を用いてもよい。
【００４１】
なお、測定装置１の具体的なハードウェア構成に関して、実施形態に応じて、適宜、構成要素の省略、置換及び追加が可能である。例えば、測定装置１は、複数のプロセッサを含んでもよい。
【００４２】
［ソフトウェア構成］  
図４は、測定装置１のソフトウェア構成を例示するブロック図である。
プロセッサ１０１は、第１の取得部１０１１、第２の取得部１０１２、第３の取得部１０１３、第１の判断部１０１４、第２の判断部１０１５、データ処理部１０１６、データ出力部１０１７及び信号出力部１０１８を実装する。
【００４３】
第１の取得部１０１１について説明する。第１の取得部１０１１は、以下に例示するように、対象者の第１の生体データを取得する。ここでは、心電データを第１の生体データの例として説明する。第１の取得部１０１１は、記憶装置１０４に記憶されている対象者の複数の心電データから、心電データを一つずつ取得する。第１の取得部１０１１は、心電データを第２の取得部１０１２、第１の判断部１０１４へ出力する。
【００４４】
第２の取得部１０１２について説明する。第２の取得部１０１２は、以下に例示するように、第１の生体データの測定日時を含む所定期間内に測定された対象者の第２の生体データを取得する。ここでは、第１の生体データと第２の生体データが異なる種類の生体データであるものとする。血圧データを第２の生体データの例として説明する。まず、第２の取得部１０１２は、第１の取得部１０１１から心電データを受ける。次に、第２の取得部１０１２は、心電データから心電の測定日時を示すデータを取得する。次に、第２の取得部１０１２は、心電の測定日時を含む所定期間内に測定された対象者の血圧データを記憶装置１０４から取得する。第２の取得部１０１２は、血圧データをデータ処理部１０１６へ出力する。
【００４５】
第３の取得部１０１３について説明する。第３の取得部１０１３は、以下に例示するように、心電データと比較する予め定められた第１の参照データを取得する。まず、第３の取得部１０１３は、通信インタフェース１０５を介して、対象者の第１の参照データの要求をＥＨＲサーバ４へ出力する。第３の取得部１０１３は、任意のタイミングで要求をＥＨＲサーバ４へ出力することができる。要求は、対象者を特定する識別情報を含む。次に、第３の取得部１０１３は、通信インタフェース１０５を介して、要求に対する応答として、第１の参照データをＥＨＲサーバ４から受ける。第３の取得部１０１３は、第１の参照データを第１の判断部１０１４へ出力する。
【００４６】
第１の判断部１０１４について説明する。第１の判断部１０１４は、以下に例示するように、心電データの信頼性が高いか低いかを判断する。
一例では、第１の判断部１０１４は、心電データを第１の参照データと比較し、心電データと第１の参照データとの比較結果に基づいて、心電データの信頼性が高いか低いかを判断する。この例では、まず、第１の判断部１０１４は、第１の取得部１０１１から心電データを受ける。第１の判断部１０１４は、第３の取得部１０１３から第１の参照データを受ける。次に、第１の判断部１０１４は、心電データを第１の参照データと比較する。例えば、第１の判断部１０１４は、心電データの波形データを第１の参照データの波形データと比較する。なお、第１の判断部１０１４は、第１の参照データに含まれる複数の参照データのうち、心電の測定日時に近い参照データを用いることが好ましい。次に、第１の判断部１０１４は、心電データと第１の参照データとの比較結果に基づいて、心電データの信頼性が高いか低いかを判断する。例えば、第１の参照データに対する心電データの乖離度合が閾値未満である場合、第１の判断部１０１４は、心電データが対象者の安静状態で測定されたデータであると判断する。一つの理由は、心電データが対象者の安静状態で測定されると、第１の参照データに対する心電データの乖離度合が小さいからである。これにより、第１の判断部１０１４は、心電データが対象者の安静状態で測定されたデータであるため、心電データの信頼性が高いと判断する。対象者の安静状態で測定された心電データは、信頼性の高いデータであり、医師にとって診察における利用価値の高いデータである。他方、第１の参照データに対する心電データの乖離度合が閾値以上である場合、第１の判断部１０１４は、心電データが対象者の緊張状態で測定されたデータであると判断する。一つの理由は、心電データが対象者の緊張状態で測定されると、第１の参照データに対する心電データの乖離度合が大きいからである。これにより、第１の判断部１０１４は、心電データが対象者の緊張状態で測定されたデータであるため、心電データの信頼性が低いと判断する。対象者の緊張状態で測定された心電データは、異常なデータであり、対象者の診察に用いるデータには向かない信頼性の低いデータである。そのため、信頼性の低いデータは、医師にとって診察における利用価値の低いデータである。なお、心電データと第１の参照データとの比較は種々の手法を用いてよく、限定されない。
【００４７】
別の例では、第１の判断部１０１４は、心電データに基づいて、心電データの信頼性が高いか低いかを判断する。この例では、まず、第１の判断部１０１４は、第１の取得部１０１１から心電データを受ける。次に、第１の判断部１０１４は、心電データに基づいて、対象者の状態を判断する。例えば、対象者の状態は、安静状態または緊張状態の何れかの状態である。第１の判断部１０１４は、心電波形に基づいて、心電データが対象者の安静状態または緊張状態の何れの状態で測定されたデータであるのかを判断する。なお、心電データに基づく対象者の状態の判断は種々の手法を用いてよく、限定されない。第１の判断部１０１４は、心電データが対象者の安静状態で測定されたデータであると判断した場合、心電データの信頼性が高いと判断する。他方、第１の判断部１０１４は、心電データが対象者の緊張状態で測定されたデータであると判断した場合、心電データの信頼性が低いと判断する。
【００４８】
第１の判断部１０１４は、第１の判断結果を生成する。第１の判断結果は、心電データの信頼性が高いまたは低いの何れかを示す。第１の判断部１０１４は、第１の判断結果を第２の判断部１０１５へ出力する。
【００４９】
第２の判断部１０１５について説明する。第２の判断部１０１５は、以下に例示するように、第１の判断結果に応じて、血圧データの信頼性が高いか低いかを判断する。まず、第２の判断部１０１５は、第１の判断部１０１４から第１の判断結果を受ける。次に、第２の判断部１０１５は、第１の判断結果の内容を解析する。第２の判断部１０１５は、心電データの信頼性が高いことを示す第１の判断結果の取得に応じて、血圧データの信頼性が高いと判断する。一つの理由は、心電データが対象者の安静状態で測定されると、血圧データも対象者の安静状態で測定されるからである。対象者の安静状態で測定された血圧データは、信頼性の高いデータであるといえる。他方、第２の判断部１０１５は、心電データの信頼性が低いことを示す第１の判断結果の取得に応じて、血圧データの信頼性が低いと判断する。一つの理由は、心電データが対象者の緊張状態で測定されると、血圧データも対象者の緊張状態で測定されるからである。対象者の緊張状態で測定された血圧データは、信頼性の低いデータであるといえる。
【００５０】
第２の判断部１０１５は、第２の判断結果を生成する。第２の判断結果は、血圧データの信頼性が高いまたは低いの何れかを示す。第２の判断部１０１５は、第２の判断結果をデータ処理部１０１６及び信号出力部１０１８へ出力する。
【００５１】
データ処理部１０１６について説明する。データ処理部１０１６は、以下に例示するように、第２の判断結果に応じて、血圧データの信頼性が高いまたは低いの何れかを示すデータを血圧データに関連付ける。血圧データの信頼性が高いまたは低いの何れかを示すデータは、信頼性データともいう。まず、データ処理部１０１６は、第２の取得部１０１２から血圧データを受ける。データ処理部１０１６は、第２の判断部１０１５から第２の判断結果を受ける。データ処理部１０１６は、第２の判断結果の内容を解析する。データ処理部１０１６は、第２の判断結果に応じて、血圧データの信頼性が高いことを示す信頼性データまたは血圧データの信頼性が低いことを示す信頼性データを生成する。データ処理部１０１６は、信頼性データを血圧データに関連付ける。例えば、データ処理部１０１６は、信頼性データを血圧データに付加（ラべリング）することで、信頼性データを血圧データに関連付ける。データ処理部１０１６は、信頼性データと関連付けられた血圧データをデータ出力部１０１７へ出力する。
【００５２】
データ出力部１０１７について説明する。データ出力部１０１７は、以下に例示するように、信頼性データと関連付けられた血圧データを出力する。まず、データ出力部１０１７は、データ処理部１０１６から、信頼性データと関連付けられた血圧データを受ける。次に、データ出力部１０１７は、通信インタフェース１０５を介して、信頼性データと関連付けられた血圧データをＰＨＲサーバ３へ出力する。これにより、ＰＨＲサーバ３は、血圧データを信頼性データと関連付けて管理することができる。
【００５３】
信号出力部１０１８について説明する。信号出力部１０１８は、以下に例示するように、血圧データの信頼性が低いことを示す第２の判断結果に応じて、対象者の状態を改善させる支援の実行を指示する支援信号を出力する。支援信号は、対象者の緊張状態を和らげる支援の実行の指示を含む。まず、信号出力部１０１８は、第２の判断部１０１５から第２の判断結果を受ける。次に、信号出力部１０１８は、第２の判断結果の内容を解析し、血圧データの信頼性が高いまたは低いの何れかを判断する。第２の判断結果が血圧データの信頼性が低いことを示す場合、信号出力部１０１８は、支援信号を出力する。他方、第２の判断結果が血圧データの信頼性が高いことを示す場合、信号出力部１０１８は、支援信号の出力を省略する。
【００５４】
例えば、信号出力部１０１８は、表示部１０７及び音声出力部１０８の少なくとも何れか一方へ支援信号を出力する。表示部１０７は、支援信号に基づいて、対象者へ緊張状態を和らげるメッセージの画面を表示する。音声出力部１０８は、支援信号に基づいて、対象者へ緊張状態を和らげるメッセージを音声で出力する。メッセージは、対象者の緊張状態を和らげる内容であればよく、限定されない。対象者は、メッセージにより、安静状態ではないことを認識し、安静状態になるように努めることができる。なお、信号出力部１０１８は、支援信号を表示部１０７及び音声出力部１０８以外の要素へ出力してもよい。信号出力部１０１８は、対象者に外部刺激を与える支援提供装置へ支援信号を出力してもよい。例えば、支援提供装置は、外部刺激として、心拍に比べて低周波の振動を対象者へ与えてもよい。
【００５５】
§３  動作例  
＜測定装置＞  
[信頼性判断動作]    
図５は、測定装置１における信頼性判断動作を例示するフローチャートである。なお、以下で説明する処理手順は一例に過ぎず、各処理は可能な限り変更されてよい。また、以下で説明する処理手順については、適宜、ステップの省略、置換及び追加が可能である。
【００５６】
第１の取得部１０１１は、対象者の心電データを取得する（ステップＳ１０１）。ステップＳ１０１では、第１の取得部１０１１は、例示したように、記憶装置１０４から対象者の心電データを取得する。第１の取得部１０１１は、心電データを第２の取得部１０１２及び第１の判断部１０１４へ出力する。
【００５７】
第２の取得部１０１２は、対象者の心電データの測定日時を含む所定期間内に測定された対象者の血圧データを取得する（ステップＳ１０２）。ステップＳ１０２では、第２の取得部１０１２は、例示したように、心電データの測定日時を参照し、記憶装置１０４から対象者の血圧データを取得する。第２の取得部１０１２は、データ処理部１０１６へ出力する。
【００５８】
第１の判断部１０１４は、心電データの信頼性が高いか低いかを判断する（ステップＳ１０３）。ステップＳ１０３では、第１の判断部１０１４は、例示したように、心電データに基づいて、心電データの信頼性が高いか低いかを判断する。第１の判断部１０１４は、第１の判断結果を第２の判断部１０１５へ出力する。
【００５９】
第２の判断部１０１５は、血圧データの信頼性が高いか低いかを判断する（ステップＳ１０４）。ステップＳ１０４では、第２の判断部１０１５は、例示したように、第１の判断結果に応じて、血圧データの信頼性が高いか低いかを判断する。第２の判断部１０１５は、第２の判断結果をデータ処理部１０１６及び信号出力部１０１８へ出力する。
【００６０】
データ処理部１０１６は、信頼性データを血圧データに関連付ける（ステップＳ１０５）。ステップＳ１０５では、データ処理部１０１６は、例示したように、第２の判断結果に応じた信頼性データを生成し、信頼性データを血圧データに関連付ける。データ処理部１０１６は、信頼性データと関連付けられた血圧データをデータ出力部１０１７へ出力する。
【００６１】
データ出力部１０１７は、信頼性データと関連付けられた血圧データを出力する（ステップＳ１０６）。ステップＳ１０６では、データ出力部１０１７は、例示したように、通信インタフェース１０５を介して、信頼性データと関連付けられた血圧データを外部装置へ出力する。
【００６２】
信号出力部１０１８は、血圧データの信頼性が高いまたは低いの何れかを判断する（ステップＳ１０７）。ステップＳ１０７では、信号出力部１０１８は、例示したように、第２の判断結果に基づいて、血圧データの信頼性が高いまたは低いの何れかを判断する。血圧データの信頼性が高い場合（ステップＳ１０７，Ｎｏ）、プロセッサ１０１は、信頼性判断動作を終了する。血圧データの信頼性が低い場合（ステップＳ１０７，Ｙｅｓ）、信号出力部１０１８は、支援信号を出力する（ステップＳ１０８）。ステップＳ１０８では、信号出力部１０１８は、例示したように、表示部１０７及び音声出力部１０８などの少なくとも何れかへ支援信号を出力する。
【００６３】
プロセッサ１０１は、記憶装置１０４から対象者の心電データを取得する毎に、上述の信頼性判断動作を繰り返し実行することができる。
【００６４】
なお、ステップＳ１０５において、データ処理部１０１６は、血圧データの信頼性が高いことを示す信頼性データと関連付けられた血圧データを出力対象に分類してもよい。他方、データ処理部１０１６は、血圧データの信頼性が低いことを示す信頼性データと関連付けられた血圧データを非出力対象に分類してもよい。この例では、データ処理部１０１６は、血圧データを出力対象または非出力対象の何れかに分類し、血圧データを記憶装置１０４に保存する。ステップＳ１０６において、データ出力部１０１７は、出力対象に分類された血圧データを出力する。他方、データ出力部１０１７は、非出力対象に分類された血圧データの出力を省略する。
【００６５】
なお、ステップＳ１０５において、データ処理部１０１６は、血圧データの信頼性が低いことを示す信頼性データと関連付けられた血圧データを破棄してもよい。この例では、データ処理部１０１６は、血圧データの信頼性が低いことを示す信頼性データと関連付けられた血圧データを記憶装置１０４から消去する。そのため、データ出力部１０１７は、血圧データの信頼性が低いことを示す信頼性データと関連付けられた血圧データの出力を省略する。
【００６６】
§４  作用・効果
以上説明したように、本実施形態では、測定装置１は、第１の生体データの信頼性に基づいて、第２の生体データの信頼性が高いまたは低いの何れかを示す信頼性データを第２の生体データに関連付けることができる。
例えば、対象者の状態が安静状態か緊張状態かに応じて変動するだけでなく、安静状態であっても身体の異変に敏感に反応する生体データがある。他方、対象者の状態が安静状態か緊張状態かに応じて変動するが、身体に発生した異変が軽度であれば安静状態ではそれほど反応しない生体データがある。前者の生体データは、対象者の身体の異変に影響されやすいので、対象者の状態の評価に適していない。そのため、前者の生体データは、対象者の状態に応じた信頼性の評価に適していない。後者の生体データは、対象者の身体の異変に頻繁には影響を受けないので、対象者の状態の評価に適している。そのため、後者の生体データは、対象者の状態に応じた信頼性の評価に適している。測定装置１は、後者の生体データを第１の生体データ、前者の生体データを第２の生体データとして用いることで、第２の生体データの信頼性を直接的に評価することが難しくても、間接的に第２の生体データの信頼性を評価することができる。
【００６７】
さらに、本実施形態では、第１の生体データと第２の生体データは、異なる種類の生体データである。
異なる種類の生体データは、対象者の状態によっては、異なる変動特性を示す。測定装置１は、信頼性の評価に適している生体データを第１の生体データとして用いることで、第２の生体データの間接的な信頼性の評価精度を向上させることができる。
【００６８】
さらに、本実施形態では、測定装置１は、第１の生体データとして対象者の心電データを取得し、第２の生体データとして対象者の血圧データを取得することができる。
心電データは、対象者の身体の異変に頻繁には影響を受けないので、対象者の状態の評価に適している。そのため、心電データは、対象者の状態に応じた信頼性の評価に適している。血圧データは、対象者の身体の異変に影響されやすいので、対象者の状態の評価に適していない。そのため、血圧データは、対象者の状態に応じた信頼性の評価に適していない。測定装置１は、血圧データの信頼性を直接的に評価することが難しくても、心電データを用いて、間接的に血圧データの信頼性を評価することができる。
【００６９】
さらに、本実施形態では、測定装置１は、信頼性データと関連付けられた第２の生体データを出力することができる。
測定装置１は、信頼性データと関連付けられた第２の生体データを医師に提供することで、医師による診断を支援することができる。医師は、第２の生体データの信頼性を確認することで、第２の生体データを対象者の診察に活用するか否かを容易に判断することができる。
【００７０】
さらに、本実施形態では、測定装置１は、第２の生体データの信頼性が低いことを示す第２の判断結果に応じて、支援信号を出力することができる。
測定装置１は、対象者への緊張状態の緩和を支援することで、信頼性の高い第２の生体データを測定することができる。
【００７１】
さらに、本実施形態では、測定装置１は、第２の生体データの信頼性が高いことを示す信頼性データと関連付けられた第２の生体データを出力対象に分類することができる。他方、測定装置１は、第２の生体データの信頼性が低いことを示す信頼性データと関連付けられた第２の生体データを非出力対象に分類することができる。
【００７２】
測定装置１は、全ての第１の生体データを出力する必要がないので、通信に関する負荷を軽減することができる。医師は、信頼性の高い第２の生体データの提供を受けるので、第２の生体データが対象者の診察に有益な信頼性の高いデータか否かの確認作業を省略することができる。
【００７３】
さらに、本実施形態では、測定装置１は、血圧データの信頼性が低いことを示す信頼性データと関連付けられた血圧データを破棄することができる。
測定装置１は、信頼性の低い血圧データを破棄することで、メモリ資源を有効に活用することができる。
【００７４】
さらに、本実施形態では、測定装置１は、第１の生体データと参照データとの比較結果に基づいて、第１の生体データの信頼性が高いか低いかを判断することができる。
測定装置１は、参照データを用いることで、第１の生体データの信頼性が高いか低いかを精度良く判断することができる。
【００７５】
§５  変形例  
（５−１  変形例１）  
本実施形態では、第１の取得部１０１１が第１の生体データとして心電データを取得し、第２の取得部１０１２が第２の生体データとして血圧データを取得する例について説明したが、これに限定されない。第１の取得部１０１１は、第１の生体データとして血圧データを取得してもよい。第２の取得部１０１２は、第２の生体データとして心電データを取得してもよい。この例では、第３の取得部１０１３は対象者の血圧に関する第２の参照データを取得し、第１の判断部１０１４は、血圧データを第２の参照データと比較してもよい。
【００７６】
第１の取得部１０１１は、第１の生体データとして心電及び血圧以外の生体の物理量を示すデータを取得してもよい。第２の取得部１０１２は、第２の生体データとして第１の生体データとは異なる生体の物理量を示すデータを取得してもよい。
【００７７】
（５−２  変形例２）  
なお、本実施形態では、測定装置１は、２つの異なる物理量に関する生体データを測定しているが、これに限定されない。測定装置１は、３つの異なる物理量に関する生体データを測定してもよい。この例では、測定装置１は、第１の生体データの信頼性及び第２の生体データの信頼性に基づいて、第３の生体データの信頼性が高いまたは低いの何れかを示す信頼性データを第３の生体データに関連付けてもよい。
【００７８】
（５−３  変形例３）  
本実施形態では、第１の生体データと第２の生体データは異なる種類の生体データであるものとして説明したが、これに限定されない。第１の生体データと第２の生体データは、同種の生体データであってもよい。例えば、第１の生体データと第２の生体データは共に血圧データであるが、これに限定されない。この例では、第１の生体データの測定方式と第２の生体データの測定方式が異なる方が好ましいが、同じであってもよい。例えば、第１の生体データは、光学式センサにより測定される生体データであってもよい。第２の生体データは、腕にカフを巻き付ける上腕式血圧計により測定される生体データであってもよい。第１の生体データと第２の生体データは、同一の装置で測定されてもよい。第１の生体データと第２の生体データは、異なる装置で測定されてもよい。
【００７９】
（５−４  変形例４）  
要するにこの発明は、本実施形態そのままに限定されるものではなく、実施段階ではその要旨を逸脱しない範囲で構成要素を変形して具体化できる。また、本実施形態に開示されている複数の構成要素の適宜な組み合せにより種々の発明を形成できる。例えば、本実施形態に示される全構成要素からいくつかの構成要素を削除してもよい。さらに、異なる実施形態に亘る構成要素を適宜組み合わせてもよい。
【００８０】
§６  付記  
本実施形態の一部または全部は、特許請求の範囲のほか以下の付記に示すように記載することも可能であるが、これに限定されない。
（付記）  
対象者の第１の生体データを取得する第１の取得部（１０１１）と、
前記第１の生体データの測定日時を含む所定期間内に測定された前記対象者の第２の生体データを取得する第２の取得部（１０１２）と、
前記第１の生体データの信頼性が高いか低いかを判断する第１の判断部（１０１４）と、
前記第１の生体データの信頼性が高いまたは低いの何れかを示す第１の判断結果に応じて、前記第２の生体データの信頼性が高いか低いかを判断する第２の判断部（１０１５）と、
前記第２の生体データの信頼性が高いまたは低いの何れかを示す第２の判断結果に応じて、前記第２の生体データの信頼性が高いまたは低いの何れかを示すデータを前記第２の生体データに関連付けるデータ処理部（１０１６）と、
を備える生体データ測定装置（１）。
【符号の説明】
【００８１】
１…測定装置、２…携帯端末、３…ＰＨＲサーバ、４…ＥＨＲサーバ、１００…生体データ管理システム、１０１…プロセッサ、１０２…ＲＯＭ、１０３…ＲＡＭ、１０４…記憶装置、１０５…通信インタフェース、１０６…入力部、１０７…表示部、１０８…音声出力部、１０９…心電測定部、１１０…血圧測定部、１０１１…第１の取得部、１０１２…第２の取得部、１０１３…第３の取得部、１０１４…第１の判断部、１０１５…第２の判断部、１０１６…データ処理部、１０１７…データ出力部、１０１８…信号出力部、Ａ１…測定装置、Ａ２…携帯端末、Ａ３…ＰＨＲサーバ、Ａ１１…心電測定部、Ａ１２…血圧測定部。
【図１】
2020010755.tif 000003
【図２】
2020010755.tif 000004
【図３】
2020010755.tif 000005
【図４】
2020010755.tif 000006
【図５】
2020010755.tif 000007